【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
バインダーと光散乱粒子が少なくとも含まれる散乱部材であって、有機エレクトロルミネッセンス表示装置に用いられることを特徴とする散乱部材。
【請求項２】
前記バインダーの屈折率が１．６５以上であることを特徴とする請求項１に記載の散乱部材。
【請求項３】
前記バインダーに、ＺｒＯ２、ＴｉＯ２、ＺｎＯ及びＳｎＯ２の中から選択される、少なくとも１種の無機微粒子が含まれることを特徴とする請求項１又は２に記載の散乱部材。
【請求項４】
前記光散乱粒子の屈折率が１．５５以下、又は２．１以上であることを特徴とする請求項１から３のいずれか１項に記載の散乱部材。
【請求項５】
前記光散乱粒子の平均直径が、２．０μｍ以下であることを特徴とする請求項１から４のいずれか１項に記載の散乱部材。
【請求項６】
前記光散乱粒子の平均直径が、０．２μｍ以上、０．５μｍ以下であることを特徴とする請求項１から４のいずれか１項に記載の散乱部材。
【請求項７】
前記散乱部材の膜厚が０．５μｍ以上、１０．０μｍ以下であることを特徴とする請求項１から６のいずれか１項に記載の散乱部材。
【請求項８】
前記散乱部材の膜厚が１．０μｍ以上、７．５μｍ以下であることを特徴とする請求項１から６のいずれか１項に記載の散乱部材。
【請求項９】
前記バインダーの屈折率が１．５以下であることを特徴とする請求項１に記載の散乱部材。
【請求項１０】
前記バインダーに、シリカ微粒子、及び中空シリカ微粒子の中から選択される、少なくとも１種の微粒子が含まれることを特徴とする請求項９に記載の散乱部材。
【請求項１１】
前記光散乱粒子の屈折率が１．６５以上であることを特徴とする請求項９又は１０に記載の散乱部材。
【請求項１２】
前記光散乱粒子の平均直径が、２．０μｍ以下であることを特徴とする請求項９から１１のいずれか１項に記載の散乱部材。
【請求項１３】
前記光散乱粒子の平均直径が、０．２μｍ以上、０．５μｍ以下であることを特徴とする請求項９から１１のいずれか１項に記載の散乱部材。
【請求項１４】
前記散乱部材の膜厚が０．５μｍ以上、１０．０μｍ以下であることを特徴とする請求項９から１３のいずれか１項に記載の散乱部材。
【請求項１５】
前記散乱部材の膜厚が１．０μｍ以上、７．５μｍ以下であることを特徴とする請求項９から１３のいずれか１項に記載の散乱部材。
【請求項１６】
前記バインダーに、液体が含まれることを特徴とする請求項１から１５のいずれか１項に記載の散乱部材。
【請求項１７】
前記バインダーに、粘着剤が含まれることを特徴とする請求項１から１５のいずれか１項に記載の散乱部材。
【請求項１８】
前記バインダーに、接着剤が含まれることを特徴とする請求項１から１５のいずれか１項に記載の散乱部材。
【請求項１９】
前記バインダーに、透光性樹脂が含まれることを特徴とする請求項１から１５のいずれか１項に記載の散乱部材。
【請求項２０】
基板上に形成された下部電極と、当該下部電極上に形成された有機エレクトロルミネッセンス層と、当該有機エレクトロルミネッセンス層上に形成された上部電極と、当該上部電極上に配置された透明基板からなる有機エレクトロルミネッセンス表示装置であって、当該上部電極に、請求項１から請求項１９のいずれか１項に記載の散乱部材が接することを特徴とする有機エレクトロルミネッセンス表示装置。
【請求項２１】
基板上に形成された下部電極と、当該下部電極上に形成された有機エレクトロルミネッセンス層と、当該有機エレクトロルミネッセンス層上に形成された上部電極と、当該上部電極上に形成されたバリア層と、当該バリア層上に配置された透明基板からなる有機エレクトロルミネッセンス表示装置であって、当該バリア層に、請求項１から請求項１９のいずれか１項に記載の散乱部材が接することを特徴とする有機エレクトロルミネッセンス表示装置。
【手続補正２】
【補正対象書類名】明細書
【補正対象項目名】００１０
【補正方法】変更
【補正の内容】
【００１０】
（１）バインダーと光散乱粒子が少なくとも含まれる散乱部材であって、有機エレクトロルミネッセンス表示装置に用いられることを特徴とする散乱部材。
（２）前記バインダーの屈折率が１．６５以上であることを特徴とする（１）に記載の散乱部材。
（３）前記バインダーに、ＺｒＯ２、ＴｉＯ２、ＺｎＯ及びＳｎＯ２の中から選択される、少なくとも１種の無機微粒子が含まれることを特徴とする（１）又は（２）に記載の散乱部材。
（４）前記光散乱粒子の屈折率が１．５５以下、又は２．１以上であることを特徴とする（１）から（３）のいずれか１項に記載の散乱部材。
（５）前記光散乱粒子の平均直径が、２．０μｍ以下であることを特徴とする（１）から（４）のいずれか１項に記載の散乱部材。
（６）前記光散乱粒子の平均直径が、０．２μｍ以上、０．５μｍ以下であることを特徴とする（１）から（４）のいずれか１項に記載の散乱部材。
（７）前記散乱部材の膜厚が０．５μｍ以上、１０．０μｍ以下であることを特徴とする（１）から（６）のいずれか１項に記載の散乱部材。
（８）前記散乱部材の膜厚が１．０μｍ以上、７．５μｍ以下であることを特徴とする（１）から（６）のいずれか１項に記載の散乱部材。
（９）前記バインダーの屈折率が１．５以下であることを特徴とする（１）に記載の散乱部材。
（１０）前記バインダーに、シリカ微粒子、及び中空シリカ微粒子の中から選択される、少なくとも１種の微粒子が含まれることを特徴とする（９）に記載の散乱部材。
（１１）前記光散乱粒子の屈折率が１．６５以上であることを特徴とする（９）又は（１０）に記載の散乱部材。
（１２）前記光散乱粒子の平均直径が、２．０μｍ以下であることを特徴とする（９）から（１１）のいずれか１項に記載の散乱部材。
（１３）前記光散乱粒子の平均直径が、０．２μｍ以上、０．５μｍ以下であることを特徴とする（９）から（１１）のいずれか１項に記載の散乱部材。
（１４）前記散乱部材の膜厚が０．５μｍ以上、１０．０μｍ以下であることを特徴とする（９）から（１３）のいずれか１項に記載の散乱部材。
（１５）前記散乱部材の膜厚が１．０μｍ以上、７．５μｍ以下であることを特徴とする（９）から（１３）のいずれか１項に記載の散乱部材。
（１６）前記バインダーに、液体が含まれることを特徴とする（１）から（１５）のいずれか１項に記載の散乱部材。
（１７）前記バインダーに、粘着剤が含まれることを特徴とする（１）から（１５）のいずれか１項に記載の散乱部材。
（１８）前記バインダーに、接着剤が含まれることを特徴とする（１）から（１５）のいずれか１項に記載の散乱部材。
（１９）前記バインダーに、透光性樹脂が含まれることを特徴とする（１）から（１５）のいずれか１項に記載の散乱部材。
（２０）基板上に形成された下部電極と、当該下部電極上に形成された有機エレクトロルミネッセンス層と、当該有機エレクトロルミネッセンス層上に形成された上部電極と、当該上部電極上に配置された透明基板からなる有機エレクトロルミネッセンス表示装置であって、当該上部電極に、（１）から（１９）のいずれか１項に記載の散乱部材が接することを特徴とする有機エレクトロルミネッセンス表示装置。
（２１）基板上に形成された下部電極と、当該下部電極上に形成された有機エレクトロルミネッセンス層と、当該有機エレクトロルミネッセンス層上に形成された上部電極と、当該上部電極上に形成されたバリア層と、当該バリア層上に配置された透明基板からなる有機エレクトロルミネッセンス表示装置であって、当該バリア層に、（１）から（１９）のいずれか１項に記載の散乱部材が接することを特徴とする有機エレクトロルミネッセンス表示装置。